(57)【要約】【課題】引き戸障子を備えつつも水密性に優れた建具を提供する。【解決手段】屋内と屋外とを仕切り、中空の部材でなる框を備える引き戸障子と、前記引き戸障子を案内するレールを備えた下枠と、を有し、前記框は下端部に、前記引き戸障子が移動する際に前記レールと摺動する摺動部材を有し、前記摺動部材は、前記レールが挿入される挿入部と、前記挿入部内と前記框内とを連通する連通孔と、を有する。【選択図】図５
2020176445.tif 000002
【特許請求の範囲】
【請求項１】
屋内と屋外とを仕切り、中空の部材でなる框を備える引き戸障子と、
前記引き戸障子を案内するレールを備えた下枠と、
を有し、
前記框は下端部に、前記引き戸障子が移動する際に前記レールと摺動する摺動部材を有し、
前記摺動部材は、前記レールが挿入される挿入部と、前記挿入部内と前記框内とを連通する連通孔と、を有することを特徴とする建具。
【請求項２】
請求項１に記載の建具であって、
前記下枠は、前記レールより屋内側に間隔を空けて対向し前記レールとの間に前記引き戸障子の下端が挿入される下枠屋内壁部を有し、
前記連通孔の上端位置は、前記レール及び前記下枠屋内壁部のうちの低い方の上端部よりもよりも高い位置に位置していることを特徴とする建具。
【請求項３】
請求項１または請求項２に記載の建具であって、
前記挿入部は、前記レールの屋内側にて対向する屋内対向壁部を有し、
前記連通孔は、前記屋内対向壁部側に設けられていることを特徴とする建具。
【請求項４】
請求項１乃至請求項３のいずれかに記載の建具であって、
前記挿入部は、前記レールの屋外側にて対向する屋外対向壁部を有し、
前記連通孔は、前記屋外対向壁部側には設けられていないことを特徴とする建具。
【請求項５】
請求項１乃至請求項４のいずれかに記載の建具であって、
前記摺動部材は、前記引き戸障子の移動方向において、前記連通孔の両側に前記レールと摺動する部位を有していることを特徴とする建具。
【発明の詳細な説明】
【技術分野】
【０００１】
本発明は、引き戸障子を備える建具に関する。
【背景技術】
【０００２】
引き戸障子を備える建具としては、例えば、窓枠に内外引き違い障子を備えたサッシ窓が知られている(例えば、特許文献１参照)。このサッシ窓は、引き違い障子の戸当たり框及び召合せ框には、下端部に、下枠に設けられたレールの通し部を備えた案内ブロックが嵌着されている。案内ブロックは、戸車を介してレール上に支持された引き違い障子のレールからの外れを阻止する役目も有している。
【先行技術文献】
【特許文献】
【０００３】
【特許文献１】実開平１−９４５８９号公報
【発明の概要】
【発明が解決しようとする課題】
【０００４】
上記サッシ窓の案内ブロックに設けられているレールの通し部は、上方に窪む溝状をなしており、引き違い障子と共に移動する案内ブロックの通し部とレールとの間には、水密材は設けられていない。このため、風を伴った雨の場合には、引き違い障子が風圧で押圧され、通し部の側面とレールとが密着するものの、水密性が低いため、雨水等が下枠上に進入し、しぶきとなって建具よりも屋内側に飛散する虞があるという課題がある。
本発明は、かかる課題に鑑みてなされたものであり、その目的とするところは、引き戸障子を備えつつも水密性に優れた建具を提供することにある。
【課題を解決するための手段】
【０００５】
かかる目的を達成するための主たる発明は、屋内と屋外とを仕切り、中空の部材でなる框を備える引き戸障子と、前記引き戸障子を案内するレールを備えた下枠と、を有し、前記框は下端部に、前記引き戸障子が移動する際に前記レールと摺動する摺動部材を有し、前記摺動部材は、前記レールが挿入される挿入部と、前記挿入部内と前記框内とを連通する連通孔と、を有することを特徴とする建具である。
本発明の他の特徴については、本明細書及び添付図面の記載により明らかにする。
【発明の効果】
【０００６】
本発明によれば、引き戸障子を備えつつも水密性に優れた建具を提供することが可能である。
【図面の簡単な説明】
【０００７】
【図１】本実施形態に係る建具を屋内側から見た図である。
【図２】建具の下端部における縦断面図である。
【図３】戸先框、下框、及び、摺動部材を示す斜視図である。
【図４】戸先框に設けられる摺動部材を屋内側から見た図である。
【図５】図２におけるＡ部の拡大図である。
【図６】図６（ａ）は、図４におけるＢ−Ｂ断面図、図６（ｂ）は、図４におけるＣ−Ｃ断面図、図６（ｃ）は、図４におけるＤ−Ｄ断面図である。
【発明を実施するための形態】
【０００８】
以下、本発明の一実施形態に係る建具について図面を参照して説明する。
本実施形態の建具１は、図１に示すように、建物の躯体に取り付けられる枠体２と、枠体２に支持されて屋内外を仕切ることが可能な内障子及び外障子をなす引き戸障子（以下、障子という）３を備えた引違い窓用の建具１である。
【０００９】
以下の説明においては、建具１を屋内側から見たときに、上下となる方向を上下方向、左右となる方向を左右方向、屋内外方向である奥行き方向を見込み方向として示す。建具１の各部位であっても、また、建具１を構成する各部材については単体の状態であっても、建具１が取り付けられた状態で上下方向、左右方向、見込み方向等となる方向にて方向を特定して説明する。
【００１０】
枠体２は、左右方向に互いに間隔を空けて配置される左右の縦枠２０と、左右の縦枠２０の上端部間及び下端部間に各々掛け渡される上枠２１及び下枠２２とを有している。上枠２１には左右方向に沿って下方に突出する上レール（不図示）が設けられている。
【００１１】
下枠２２は、図２に示すように、２枚の障子３を各々左右方向に案内する内レール２ａ及び外レール２ｂを有する下枠本体２３と、内レール２ａと外レール２ｂとの間を覆うレール間カバー材２４と、内レール２ａよりも屋内側を覆うと共に屋内側に設けられている額縁（不図示）と繋がる屋内カバー材２５とを有している。
【００１２】
下枠本体２３は、内レール２ａと外レール２ｂとが上方に突出して設けられており、内レール２ａの屋内側に、当該内レール２ａと見込み方向に間隔を空けて対向する下枠壁部２３ａが設けられている。内レール２ａと外レール２ｂの下端部間は屋外側が低くなるような僅かな傾斜を有するレール間底部２３ｂにより繋がっており、外レール２ｂの下部とレール間底部２３ｂとにレール間カバー材２４の係止部２３ｃが設けられている。内レール２ａと下枠壁部２３ａの下端部間も屋外側が低くなるような僅かな傾斜を有する屋内底部２３ｄにより繋がっており、下枠壁部２３ａの下部と屋内底部２３ｄとに屋内カバー材２５の係止部２３ｅが設けられている。
【００１３】
レール間カバー材２４は、レール間底部２３ｂの上方に間隔を空けて配置されるレール間カバー平面部２４ａと、レール間カバー平面部２４ａの下面から下方に垂設され、下端が下枠本体２３の係止部２３ｃに係止されるレール間カバー脚部２４ｂと、を有している。レール間カバー脚部２４ｂの下端が係止部２３ｃに係止された状態でレール間カバー平面部２４ａの上面と、内レール２ａ及び外レール２ｂに支持された２枚の障子３の下端とは上下方向に間隔が空けられている。
【００１４】
屋内カバー材２５は、屋内底部２３ｄの上方に間隔を空けて配置される屋内カバー平面部２５ａと、屋内カバー平面部２５ａの下面から下方に垂設され、下端が下枠本体２３の係止部２３ｅに係止される屋内カバー脚部２５ｂと、屋内カバー平面部２５ａの屋内側の縁から上方に立設された屋内カバー壁部２５ｃと、屋内カバー壁部２５ｃの上縁から屋内側に延出された屋内カバー延出部２５ｄと、を有している。
【００１５】
屋内カバー脚部２５ｂの下端が係止部２３ｅに係止された状態で屋内カバー平面部２５ａの上面と、内レール２ａに支持された障子３の下端とは上下方向に間隔が空けられている。また、屋内カバー脚部２５ｂの下端が係止部２３ｅに係止された状態で、屋内カバー壁部２５ｃは、下枠壁部２３ａの屋外側にて対向し、屋内カバー延出部２５ｄが下枠壁部２３ａと例えば額縁(不図示)とに跨がって配置される。屋内カバー材２５が取り付けられた状態では、屋内カバー壁部２５ｃの上端部２５ｅと、内レール２ａ及び外レール２ｂの上端部２ｃとがほぼ同じ高さに位置している。
【００１６】
各障子３は、図１に示すように、ガラス３ａと、矩形状をなしガラス３ａの周端部を収容する框３０とを有している。框３０は、ガラス３ａの上側に配置される上框３１、下側に配置される下框３２、閉じた状態で枠体の縦枠２０と係合する戸先框３３、閉じた状態で互いに見込み方向に重なる召合せ框３４を有している。上框３１、下框３２、戸先框３３、及び、召合せ框３４は、いずれもアルミニウム製の押し出し成形材でなる框本体と、框本体の屋内側に設けられる合成樹脂製の框カバーとを有している。
【００１７】
上框３１と下框３２とは、戸先框３３と召合せ框３４との間に固定されている。このため、上框３１及び下框３２の小口は、戸先框３３と召合せ框３４とが互いに対向する部位により塞がれている。
【００１８】
各障子３の下框３２の長手方向における両端部近傍に戸車３２ａ（図２）がそれぞれ設けられており、障子３は戸車３２ａが内レール２ａまたは外レール２ｂに支持されて左右方向に移動可能に設けられている。すなわち、左右方向が障子３の移動方向に相当する。
【００１９】
戸先框３３及び召合せ框３４の下端には、障子３が内レール２ａまたは外レール２ｂに沿って移動する際に、内レール２ａまたは外レール２ｂと摺動する摺動部材３５が設けられている。以下、障子３に設けられている摺動部材３５について、屋内側に配置される障子(内障子)３の戸先框３３に設けられている摺動部材３５を例に挙げて説明する。
【００２０】
戸先框３３は、図３に示すように、アルミニウム製の押し出し成形材でなる戸先框本体３３１と、戸先框本体３３１の屋内側に設けられる合成樹脂製の戸先框カバー３３２とを有している。戸先框本体３３１は、長手方向に連通する中空部３３１ａを有し、戸先框本体３３１の下端の小口３３１ｂを塞ぐように摺動部材３５が中空部３３１ａに挿入されて嵌合されている。
【００２１】
摺動部材３５は、図４〜図６に示すように、戸先框本体３３１の小口３３１ｂに当接される下端板部３５０と、戸先框本体３３１の中空部３３１ａ内に挿入されて戸先框本体３３１に嵌合される挿入嵌合部３５１と、下端板部３５０から上方に窪む溝部３５２と、を有している。溝部３５２は、摺動部材３５において、障子３が移動する左右方向に全長にわたって設けられており、障子３の戸車３２ａは、溝部３５２に挿入された内レール２ａまたは外レール２ｂに支持される。ここで、溝部３５２が、内レール２ａまたは外レール２ｂが挿入される挿入部に相当する。
【００２２】
下端板部３５０は、戸先框本体３３１の小口３３１ｂの外周形状に沿う輪郭をなしており、見込み方向におけるほぼ中央部において、障子３が移動する左右方向に沿うスリット３５０ａにより２つの分割されている。
【００２３】
挿入嵌合部３５１は、下端板部３５０においてスリット３５０ａをなす屋内側の縁と繋がって上方に立ち上がる屋内壁部３５１ａと、下端板部３５０においてスリット３５０ａをなす屋外側の縁と繋がって上方に立ち上がる屋外壁部３５１ｂと、屋内壁部３５１ａと屋外壁部３５１ｂの上端部を繋ぐアーチ状の上端連結部３５１ｃと、上端連結部３５１ｃの上側において見込み方向における中央から上方に立設された補強リブ３５１ｄと、を有している。
【００２４】
屋内壁部３５１ａには、左右方向における中央側の部位に、連通孔としての開孔３５１ｅが設けられている。すなわち、屋内壁部３５１ａは、開孔３５１ｅの戸先側及び召合せ側に内レール２ａと摺動する部位を有している。開孔３５１ｅは、屋内壁部３５１ａにおいて下端板部３５０の上面よりも僅かに高い位置より上側であって、補強リブ３５１ｄの屋内側の面よりも屋内側に設けられている。このため、開孔３５１ｅの上端位置Ｐは、溝部３５２の最も高い頂部近傍まで設けられており、内レール２ａまたは外レール２ｂの上端部２ｃとほぼ同じ高さをなす屋内カバー壁部２５ｃの上端部２５ｅよりも高い位置まで形成されている。
【００２５】
本実施形態の建具１は、例えば、図５に示すように、内障子３が内レール２ａに支持された状態で、内障子３が有する戸先框カバー３３２の下端部と、摺動部材３５が嵌合されている戸先框本体３３１のスリット３５０ａよりも屋内側の部位が、内レール２ａと屋内カバー材２５の屋内カバー壁部２５ｃとの間に挿入されている。このとき、摺動部材３５の屋内壁部３５１ａ及び屋外壁部３５１ｂは、内レール２ａと見込み方向に間隔を空けて対向しており、内レール２ａ上を戸車３２ａが転動しつつ障子３が移動する際に、屋内壁部３５１ａまたは屋外壁部３５１ｂが内レール２ａに摺動しつつ移動すること移動することにより、戸車３２ａが内レール２ａから外れることなく障子３が移動する。ここで、屋内カバー材２５における屋内カバー壁部２５ｃが、レールとの間に引き戸障子の下端が挿入される下枠屋内壁部に相当し、屋内壁部３５１ａが屋内対向壁部に相当し、屋外壁部３５１ｂが屋外対向壁部に相当する。
【００２６】
風を伴った雨が吹き付けた場合には、引き違い障子が風圧で屋内側に押圧され、摺動部材３５の屋外壁部３５１ｂが内レール２ａに当接するが、硬質合成樹脂製の摺動部材３５とアルミニウム製の下枠２２とが当接しても水密性は低い。このため、屋外壁部３５１ｂが内レール２ａとの間から摺動部材３５の溝部３５２内に風や雨水が進入し、下枠２２の内レール２ａよりも屋内側に雨水が溜まる虞がある。このとき、従来の建具のように、本実施形態の摺動部材３５のようなレールが挿入される凹部に、開孔が設けられていない場合には、屋外壁部と内レールとの間から進入した風等により、内レールよりも屋内側に溜まった雨水等が巻き上げられ、建具よりも屋内側にしぶきとなって飛散する虞がある。
【００２７】
本実施形態の建具１には、摺動部材３５の屋内壁部３５１ａに、溝部３５２内と戸先框３３の中空部３３１ａ内とを連通する開孔３５１ｅが設けられている。このため、たとえ、下枠２２の内レール２ａよりも屋内側に雨水等が溜まり、屋外壁部３５１ｂと内レール２ａとの間から風が溝部３５２内に吹き込んだとしても、図５に示すように、吹き込んだ風は開孔３５１ｅから中空部３３１ａに流出する。すなわち、吹き込んだ風において溝部３５２のスリット３５０ａから屋内側に流出する量が大幅に削減される。
【００２８】
本実施形態の建具１によれば、戸先框３３の下端に設けられている摺動部材３５には、内レール２ａが挿入される溝部３５２内と戸先框３３の中空部３３１ａ内とを連通する開孔３５１ｅが設けられているので、たとえ屋外側から吹き付ける風雨により溝部３５２内に雨や風が進入したとしても、進入した雨や風を中空部３３１ａ内に排出可能なので屋内側への進入を抑制することが可能である。このため、障子３に高い風圧の風雨が吹き付けたとしても、建具１よりも屋内側に雨等が進入し難い、水密性に優れた建具１を提供することが可能である。
【００２９】
また、閉じられた障子３に高い風圧の風雨が吹き付けて、下枠２２において内レール２ａよりも屋内側に雨が進入する場合には、内レール２ａの上端部２ｃまたは屋内カバー壁部２５ｃの上端部２５ｅ付近まで水位が上昇する場合がある。このとき、摺動部材３５の溝部３５２内も同じ水位となる。このため、建具１のように、開孔３５１ｅの上端位置Ｐが屋内カバー壁部２５ｃの上端部２５ｅよりも高い位置にも設けられていると、下枠２２の内レール２ａよりも屋内側に雨が溜まったとしても開孔３５１ｅを確実に中空部３３１ａ内と連通させておくことが可能である。このため、進入した雨や風を、より確実に中空部３３１ａ内に排出し屋内側への進入を抑制することが可能である。このとき、内レール２ａの上端部２ｃと屋内カバー壁部２５ｃの上端部２５ｅとの高さが相違する場合には、低い方の上端部よりも高い位置に、開孔３５１ｅの上端位置Ｐが位置するように構成されることにより、進入した雨や風を、より確実に中空部３３１ａ内に排出し屋内側への進入を抑制することが可能である。
【００３０】
また、開孔３５１ｅは、屋内壁部３５１ａ側に設けられているので、屋外側から進入する雨や風を流れに沿ってよりスムーズに中空部３３１ａ内に排出することが可能である。
【００３１】
また、開孔３５１ｅは、屋外壁部３５１ｂ側には設けられていないので、戸先框３３内の屋外壁部３５１ｂ側から溝部３５２部内に雨や風が進入することを防止することが可能である。
【００３２】
また、摺動部材３５において内レール２ａと摺動する部位は、障子３の移動方向において、開孔３５１ｅの両側に設けられているので、障子３の移動方向において間隔を空けた２箇所にて内レール２ａと摺動することにより障子３をより安定させて案内することができ、且つ、溝部３５２内に雨や風が進入することを防止することが可能である。
【００３３】
上記実施形態においては、内障子の戸先框３３に設けられた摺動部材３５において、屋内壁部３５１ａに開孔３５１ｅを設けた摺動部材３５を例に挙げて説明したが、これに限るものではない。例えば、内障子の召合せ框３４に設けられた摺動部材３５に開孔３５１ｅを設けても、また、外障子の戸先框３３及び召合せ框３４に設けられた摺動部材３５に開孔３５１ｅを設けても構わない。
【００３４】
また、上記実施形態においては、開孔３５１ｅが屋内壁部３５１ａに設けられている例について説明したが、これに限らず、開孔３５１ｅは、溝部３５２内と框３０の中空部内とを連通するように設けられていれば構わない。
【００３５】
上記実施形態においては、屋内カバー材２５の屋内カバー壁部２５ｃが、内レール２ａより屋内側に間隔を空けて対向し内レール２ａとの間に障子３の下端が挿入される下枠屋内壁部となる例について説明したが、これに限るものではない。例えば、屋内カバー材２５の屋内カバー壁部２５ｃが設けられていない場合などには、下枠本体２３の下枠壁部２３ａが、レール２ａより屋内側に間隔を空けて対向し内レール２ａとの間に障子３の下端が挿入される下枠屋内壁部となる構成であっても構わない。この場合には、内レール２ａの上端部２ｃと下枠壁部２３ａの上端部とのうちの低い方よりも高い位置に、上端位置Ｐが位置するように開孔３５１ｅが設けられる。
【００３６】
上記実施形態においては、引き戸障子３を備えた引違い窓用の建具１を例に挙げて説明したが、これに限らず、引き戸障子を有する構成であれば、例えば、片引き戸用の建具であっても構わない。
【００３７】
また、上記実施形態は、本発明の理解を容易にするためのものであり、本発明を限定して解釈するためのものではない。本発明は、その趣旨を逸脱することなく、変更、改良され得ると共に、本発明にはその等価物が含まれることはいうまでもない。
【００３８】
本実施形態には、少なくとも以下の発明が含まれる。
屋内と屋外とを仕切り、中空の部材でなる框を備える引き戸障子と、前記引き戸障子を案内するレールを備えた下枠と、を有し、前記框は下端部に、前記引き戸障子が移動する際に前記レールと摺動する摺動部材を有し、前記摺動部材は、前記レールが挿入される挿入部と、前記挿入部内と前記框内とを連通する連通孔と、を有することを特徴とする建具である。
【００３９】
このような建具によれば、框の下端に設けられている摺動部材には、レールが挿入される挿入部内と框内とを連通する連通孔が設けられているので、たとえ屋外側から吹き付ける風雨により挿入部内に雨や風が進入したとしても、進入した雨や風を框内に排出可能なので屋内側への進入を抑制することが可能である。このため、引き戸障子に高い風圧の風雨が吹き付けたとしても、屋内側に雨等が進入し難い、水密性に優れた建具を提供することが可能である。
【００４０】
かかる建具であって、前記下枠は、前記レールより屋内側に間隔を空けて対向し前記レールとの間に前記引き戸障子の下端が挿入される下枠屋内壁部を有し、前記連通孔の上端位置は、前記レール及び前記下枠屋内壁部のうちの低い方の上端部よりもよりも高い位置に位置していることを特徴とする。
【００４１】
閉じられた引き戸障子に高い風圧の風雨が吹き付けて、下枠においてレールよりも屋内側に雨が進入する場合には、レール及び下枠屋内壁部のうちの低い方の上端部付近まで水位が上昇する場合がある。このとき、摺動部材の挿入部内も同じ水位となる。このため、上記建具のように、連通孔の上端位置がレール及び下枠屋内壁部のうちの低い方の上端部よりも高い位置に位置していると、下枠に雨が溜まったとしても連通孔を確実に框内と連通させておくことが可能である。このため、進入した雨や風を、より確実に框内に排出し屋内側への進入を抑制することが可能である。
【００４２】
かかる建具であって、前記挿入部は、前記レールの屋内側にて対向する屋内対向壁部を有し、前記連通孔は、前記屋内対向壁部側に設けられていることを特徴とする。
このような建具によれば、連通孔は、屋内対向壁部側に設けられているので、屋外側から進入する雨や風を流れに沿ってよりスムーズに框内に排出することが可能である。
【００４３】
かかる建具であって、前記挿入部は、前記レールの屋外側にて対向する屋外対向壁部を有し、前記連通孔は、前記屋外対向壁部側には設けられていないことを特徴とする。
このような建具によれば、連通孔は、屋外対向壁部側には設けられていないので、框内の屋外対向壁部側から挿入部内に雨や風が進入することを防止することが可能である。
【００４４】
かかる建具であって、前記摺動部材は、前記引き戸障子の移動方向において、前記連通孔の両側に前記レールと摺動する部位を有していることを特徴とする。
このような建具によれば、レールと摺動する部位は、引き戸障子の移動方向において、連通孔の両側に設けられているので、引き戸障子の移動方向において間隔を空けた２箇所にてレールと摺動することにより引き戸障子をより安定させて案内することができ、且つ、挿入部内に雨や風が進入することを防止することが可能である。
【符号の説明】
【００４５】
１  建具、２ａ  内レール、２ｂ  外レール、２ｃ  レールの上端部、
３  障子（引き戸障子、内障子、外障子）
２２  下枠、２５ｃ  屋内カバー壁部、２５ｅ  屋内カバー壁部の上端部、
３０  框、３３  戸先框、３５  摺動部材、３３１ａ  中空部、
３５１ａ  屋内壁部、３５１ｂ  屋外壁部、３５１ｅ  開孔、
３５２  溝部、
Ｐ  開孔の上端位置
【図１】
2020176445.tif 000003
【図２】
2020176445.tif 000004
【図３】
2020176445.tif 000005
【図４】
2020176445.tif 000006
【図５】
2020176445.tif 000007
【図６】
2020176445.tif 000008